(57)【特許請求の範囲】
【請求項１】
ユーザ機器によって行われる、無線通信システムの複数の論理チャネルに対してリソースを割り当てる方法であって、前記論理チャネルの各々は、対応する優先度を有し、前記方法は、
複数のコンポーネント搬送波に対する複数の利用可能なリソースを基地局から受信することと、
前記複数の利用可能なリソースを合計することによって総リソースを決定することと、
前記複数の論理チャネルの各々に関連付けられた第１の量のデータに対して、前記複数の論理チャネルの優先度の順序で前記総リソースを前記複数の論理チャネルの各々に割り当てることであって、前記複数の論理チャネルの各々に対する前記第１の量のデータが、前記複数の論理チャネルの各々に対する、ｐｒｉｏｒｉｔｉｚｅｄ  ｂｉｔ  ｒａｔｅ（ＰＢＲ）に基づく、ことと、
前記複数の論理チャネルの各々に関連付けられた第２の量のデータに対して、前記複数の論理チャネルの優先度の順序で残りのリソースを前記複数の論理チャネルの各々に割り当てることと
を含み、
前記複数の論理チャネルの各々に関連付けられた前記第２の量のデータが、前記第１の量のデータに加えられる、方法。
【請求項２】
２つの論理チャネルが同等の優先度を有して構成される場合に、前記残りのリソースの中の同等のリソースが、それぞれ、前記２つの論理チャネルに割り当てられる、請求項１に記載の方法。
【請求項３】
前記複数の論理チャネルの各々に関連付けられた前記第１の量のデータは、前記複数の論理チャネルの各々に割り当てられるように保証された量のデータである、請求項１に記載の方法。
【請求項４】
各コンポーネント搬送波が、対応する中心周波数によって規定される、請求項１に記載の方法。
【請求項５】
前記複数の利用可能なリソースの各々は、ｍｅｄｉｕｍ  ａｃｃｅｓｓ  ｃｏｎｔｒｏｌ（ＭＡＣ）プロトコルデータユニット（ＰＤＵ）に対応する、請求項１に記載の方法。
【請求項６】
前記複数のＭＡＣ  ＰＤＵが、単一のｔｒａｎｓｍｉｓｓｉｏｎ  ｔｉｍｅ  ｉｎｔｅｒｖａｌ（ＴＴＩ）で送信される、請求項５に記載の方法。
【請求項７】
前記複数の利用可能なリソースは、前記基地局から受信された複数のアップリンクグラントから獲得される、請求項１に記載の方法。
【請求項８】
無線装置であって、前記無線装置は、
送受信機と、
プロセッサと
を含み、
前記プロセッサは、前記送受信機に動作可能に連結されており、複数の論理チャネルに対して、リソースを割り当て、前記論理チャネルの各々は、対応する優先度を有し、
前記プロセッサは、
複数のコンポーネント搬送波に対する複数の利用可能なリソースを基地局から受信することと、
前記複数の利用可能なリソースを合計することによって総リソースを決定することと、
前記複数の論理チャネルの各々に関連付けられた第１の量のデータに対して、前記複数の論理チャネルの優先度の順序で前記総リソースを前記複数の論理チャネルの各々に割り当てることであって、前記複数の論理チャネルの各々に対する前記第１の量のデータが、前記複数の論理チャネルの各々に対する、ｐｒｉｏｒｉｔｉｚｅｄ  ｂｉｔ  ｒａｔｅ（ＰＢＲ）に基づく、ことと、
前記複数の論理チャネルの各々に関連付けられた第２の量のデータに対して、前記複数の論理チャネルの優先度の順序で残りのリソースを前記複数の論理チャネルの各々に割り当てることであって、前記複数の論理チャネルの各々に関連付けられた前記第２の量のデータが、前記第１の量のデータに加えられる、ことと
を行うように構成されている、無線装置。
【請求項９】
２つの論理チャネルが同等の優先度を有して構成される場合に、前記残りのリソースの中の同等のリソースが、それぞれ、前記２つの論理チャネルに割り当てられる、請求項８に記載の無線装置。
【請求項１０】
前記複数の論理チャネルの各々に関連付けられた前記第１の量のデータは、前記複数の論理チャネルの各々に割り当てられるように保証された量のデータである、請求項８に記載の無線装置。
【請求項１１】
各コンポーネント搬送波が、対応する中心周波数によって規定される、請求項８に記載の無線装置。
【請求項１２】
前記複数の利用可能なリソースの各々は、ｍｅｄｉｕｍ  ａｃｃｅｓｓ  ｃｏｎｔｒｏｌ（ＭＡＣ）プロトコルデータユニット（ＰＤＵ）に対応する、請求項８に記載の無線装置。
【請求項１３】
前記複数のＭＡＣ  ＰＤＵが、単一のｔｒａｎｓｍｉｓｓｉｏｎ  ｔｉｍｅ  ｉｎｔｅｒｖａｌ（ＴＴＩ）で送信される、請求項１２に記載の無線装置。
【請求項１４】
前記複数の利用可能なリソースは、前記基地局から受信された複数のアップリンクグラントから獲得される、請求項８に記載の無線装置。
【発明の詳細な説明】
【技術分野】
【０００１】
本発明は、無線通信に関し、より詳しくは、無線通信システムにおける複数の論理チャネルに対するリソースを割り当てる方法及び装置に関する。
【背景技術】
【０００２】
ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の向上である３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）は、３ＧＰＰリリース（ｒｅｌｅａｓｅ）８に紹介されている。３ＧＰＰ  ＬＴＥは、ダウンリンクでＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）を使用し、アップリンクでＳＣ−ＦＤＭＡ（Ｓｉｎｇｌｅ  Ｃａｒｒｉｅｒ−ｆｒｅｑｕｅｎｃｙ  ｄｉｖｉｓｉｏｎ  ｍｕｌｔｉｐｌｅ  ａｃｃｅｓｓ）を使用する。最大４個のアンテナを有するＭＩＭＯ（ｍｕｌｔｉｐｌｅ  ｉｎｐｕｔ  ｍｕｌｔｉｐｌｅ  ｏｕｔｐｕｔ）を採用する。最近には３ＧＰＰ  ＬＴＥの進化である３ＧＰＰ  ＬＴＥ−Ａ（ＬＴＥ−Ａｄｖａｎｃｅｄ）に対する議論が進行中である。
【０００３】
３ＧＰＰ  ＬＴＥ−Ａで導入される技術では、搬送波集成（ｃａｒｒｉｅｒ  ａｇｇｒｅｇａｔｉｏｎ）、中継器（ｒｅｌａｙ）などがある。３ＧＰＰ  ＬＴＥシステムは、｛１．４，３，５，１０，１５，２０｝ＭＨｚのうち一つの帯域幅（即ち、一つのコンポーネント搬送波）のみをサポートする単一搬送波システムである。然しながら、ＬＴＥ−Ａは、搬送波集成を用いた多重搬送波を導入している。コンポーネント搬送波（ｃｏｍｐｏｎｅｎｔ  ｃａｒｒｉｅｒ）は、中心周波数（ｃｅｎｔｅｒ  ｆｒｅｑｕｅｎｃｙ）及び帯域幅により定義される。多重搬送波システムは、全体帯域幅より小さい帯域幅を有する複数のコンポーネント搬送波を使用するものである。
【０００４】
３ＧＰＰ  ＬＴＥにおけるＬＣＰ（Ｌｏｇｉｃａｌ  Ｃｈａｎｎｅｌ  Ｐｒｉｏｒｉｔｉｚａｔｉｏｎ）は、複数の論理チャネルを一つの伝送チャネルに多重化する時に使われるプロセスである。ＬＣＰは、一つのアップリンク搬送波に対して実行される。
【０００５】
複数のアップリンク搬送波に対するＬＣＰの適用方法は開示されていない。
【発明の概要】
【発明が解決しようとする課題】
【０００６】
本発明は、複数のコンポーネント搬送波のための複数の可用リソースを複数の論理チャネルに割り当てる方法及び装置を提供する。
【課題を解決するための手段】
【０００７】
一態様において、複数の論理チャネルに対するリソースを割り当てる方法が提供される。前記方法は、複数のコンポーネント搬送波に対する複数の可用リソースを獲得するステップ、及び前記複数の論理チャネルの各々に対する優先順位に基づいて前記複数の可用リソースを前記複数の論理チャネルに割り当てるステップを含む。
【０００８】
前記複数の可用リソースを前記複数の論理チャネルに割り当てるステップは、前記複数の可用リソースを組み合わせることによって総リソースを決定するステップ、前記複数の論理チャネルの各々に対する優先順位に基づいて前記総リソースを前記複数の論理チャネルの各々に割り当てるステップ、及び前記割り当てられた総リソースから前記複数のコンポーネント搬送波の各々に対応する少なくとも一つの論理チャネルを決定するステップを含む。
【０００９】
前記複数の論理チャネルの各々に対する優先順位に基づいて前記総リソースを前記複数の論理チャネルの各々に割り当てるステップは、前記総リソースを前記複数の論理チャネルの各々に対する優先順位に従って前記複数の論理チャネルの各々に対する第１量のデータに割り当てるステップ、及び前記総リソースのうち残るリソースを前記複数の論理チャネルの各々に対する優先順位に従って前記複数の論理チャネルの各々に対する第２量のデータに割り当てるステップを含む。
【００１０】
前記複数の論理チャネルの各々に対する第１量のデータは、前記複数の論理チャネルの各々に対するＰＢＲ（ｐｒｉｏｒｉｔｉｚｅｄ  ｂｉｔ  ｒａｔｅ）に基づく。
【００１１】
前記複数の論理チャネルのうち同じ優先順位に構成された少なくとも２個の論理チャネルには前記残るリソースが同じように（ｅｑｕａｌｌｙ）割り当てられる。
【００１２】
前記複数の可用リソースの各々は、前記複数のコンポーネント搬送波の各々を介して送信されるＭＡＣ（Ｍｅｄｉｕｍ  Ａｃｃｅｓｓ  Ｃｏｎｔｒｏｌ）ＰＤＵ（Ｐｒｏｔｏｃｏｌ  Ｄａｔａ  Ｕｎｉｔ）に対応される。
【００１３】
前記総リソースの割当は、ＭＡＣ階層で実行され、前記ＭＡＣ階層がＲＬＣ（Ｒａｄｉｏ  Ｌｉｎｋ  Ｃｏｎｔｒｏｌ）階層に前記複数のコンポーネント搬送波の各々に対応する前記少なくとも一つの論理チャネルに割り当てられたリソースを伝達し、前記ＭＡＣ階層が前記ＲＬＣ階層から前記複数のコンポーネント搬送波の各々に対する少なくとも一つのＲＬＣ  ＰＤＵを獲得し、及び前記ＭＡＣ階層が獲得した少なくとも一つのＲＬＣ  ＰＤＵを多重化して各コンポーネント搬送波に対するＭＡＣ  ＰＤＵを生成する。
【００１４】
前記複数の可用リソースを前記複数の論理チャネルに割り当てるステップは、前記複数の論理チャネルの各々に対する優先順位に従って前記複数の可用リソースの各々を前記複数の論理チャネルの各々に対する第１量のデータに割り当てるステップ、及び前記複数の可用リソースのうち残るリソースを前記複数の論理チャネルの各々に対する優先順位に従って前記複数の論理チャネルの各々に対する第２量のデータに割り当てるステップを含む。
【００１５】
前記複数の論理チャネルの各々に対する第１量のデータは。前記複数の論理チャネルの各々に対するＰＢＲ（ｐｒｉｏｒｉｔｉｚｅｄ  ｂｉｔ  ｒａｔｅ）に基づき、前記複数の可用リソースの各々は、順に前記複数の論理チャネルの各々に対する第１量のデータに割り当てられる。
【００１６】
前記残るリソースは、前記複数の可用リソースのうち前記複数の論理チャネルの各々に対する第１量のデータの全部を割り当てた後に残るリソースである。
【００１７】
前記複数の論理チャネルの各々に対する第１量のデータは、前記複数の論理チャネルの各々に対するＰＢＲ（ｐｒｉｏｒｉｔｉｚｅｄ  ｂｉｔ  ｒａｔｅ）を前記複数のコンポーネント搬送波の個数に分けて得られた分割（ｄｉｖｉｄｅｄ）ＰＢＲに基づく。
【００１８】
前記複数のコンポーネント搬送波の各々の優先順位を決定するステップをさらに含み、前記複数の可用リソースは、前記複数のコンポーネント搬送波の各々の優先順位に従って割り当てられる。
【００１９】
前記複数の可用リソースは、基地局から受信される複数のアップリンクグラントから獲得される。
【００２０】
前記複数の可用リソースは、一つのＴＴＩ（ｔｒａｎｓｍｉｓｓｉｏｎ  ｔｉｍｅ  ｉｎｔｅｒｖａｌ）中に使われるリソースである。
【００２１】
他の態様において、無線装置は、送受信機、及び前記送受信機と連結され、複数の論理チャネルに対するリソースを割り当てるプロセッサを含み、前記プロセッサは、複数のコンポーネント搬送波に対する複数の可用リソースを獲得し、及び前記複数の論理チャネルの各々に対する優先順位に基づいて前記複数の可用リソースを前記複数の論理チャネルに割り当てる。
【００２２】
前記プロセッサは、前記複数の可用リソースを前記複数の論理チャネルに割り当て、前記複数の可用リソースを組み合わせることによって総リソースを決定し、前記複数の論理チャネルの各々に対する優先順位に基づいて前記総リソースを前記複数の論理チャネルの各々に割り当て、及び前記割り当てられた総リソースから前記複数のコンポーネント搬送波の各々に対応する少なくとも一つの論理チャネルを決定して構成される。
本発明は、例えば以下の項目を提供する。
（項目１）
複数の論理チャネルに対するリソースを割り当てる方法において、
複数のコンポーネント搬送波に対する複数の可用リソースを獲得するステップ；及び、
前記複数の論理チャネルの各々に対する優先順位に基づいて前記複数の可用リソースを前記複数の論理チャネルに割り当てるステップ；
を含む方法。
（項目２）
前記複数の可用リソースを前記複数の論理チャネルに割り当てるステップは、
前記複数の可用リソースを組み合わせることによって総リソースを決定するステップ；
前記複数の論理チャネルの各々に対する優先順位に基づいて前記総リソースを前記複数の論理チャネルの各々に割り当てるステップ；及び、
前記割り当てられた総リソースから前記複数のコンポーネント搬送波の各々に対応する少なくとも一つの論理チャネルを決定するステップ；
を含むことを特徴とする項目１に記載の方法。
（項目３）
前記複数の論理チャネルの各々に対する優先順位に基づいて前記総リソースを前記複数の論理チャネルの各々に割り当てるステップは、
前記総リソースを前記複数の論理チャネルの各々に対する優先順位に従って前記複数の論理チャネルの各々に対する第１量のデータに割り当てるステップ；及び、
前記総リソースのうち残るリソースを前記複数の論理チャネルの各々に対する優先順位に従って前記複数の論理チャネルの各々に対する第２量のデータに割り当てるステップ；
を含むことを特徴とする項目２に記載の方法。
（項目４）
前記複数の論理チャネルの各々に対する第１量のデータは、前記複数の論理チャネルの各々に対するＰＢＲ（ｐｒｉｏｒｉｔｉｚｅｄ  ｂｉｔ  ｒａｔｅ）に基づくことを特徴とする項目３に記載の方法。
（項目５）
前記複数の論理チャネルのうち同じ優先順位に構成された少なくとも２個の論理チャネルには前記残るリソースが同じように（ｅｑｕａｌｌｙ）割り当てられることを特徴とする項目４に記載の方法。
（項目６）
前記複数の可用リソースの各々は、前記複数のコンポーネント搬送波の各々を介して送信されるＭＡＣ（Ｍｅｄｉｕｍ  Ａｃｃｅｓｓ  Ｃｏｎｔｒｏｌ）ＰＤＵ（Ｐｒｏｔｏｃｏｌ  Ｄａｔａ  Ｕｎｉｔ）に対応されることを特徴とする項目２に記載の方法。
（項目７）
前記総リソースの割当は、
ＭＡＣ階層で実行され、
前記ＭＡＣ階層がＲＬＣ（Ｒａｄｉｏ  Ｌｉｎｋ  Ｃｏｎｔｒｏｌ）階層に前記複数のコンポーネント搬送波の各々に対応する前記少なくとも一つの論理チャネルに割り当てられたリソースを伝達し、
前記ＭＡＣ階層が前記ＲＬＣ階層から前記複数のコンポーネント搬送波の各々に対する少なくとも一つのＲＬＣ  ＰＤＵを獲得し、及び、
前記ＭＡＣ階層が獲得した少なくとも一つのＲＬＣ  ＰＤＵを多重化して各コンポーネント搬送波に対するＭＡＣ  ＰＤＵを生成することを特徴とする項目６に記載の方法。
（項目８）
前記複数の可用リソースを前記複数の論理チャネルに割り当てるステップは、
前記複数の論理チャネルの各々に対する優先順位に従って前記複数の可用リソースの各々を前記複数の論理チャネルの各々に対する第１量のデータに割り当てるステップ；及び、
前記複数の可用リソースのうち残るリソースを前記複数の論理チャネルの各々に対する優先順位に従って前記複数の論理チャネルの各々に対する第２量のデータに割り当てるステップ；
を含むことを特徴とする項目１に記載の方法。
（項目９）
前記複数の論理チャネルの各々に対する第１量のデータは、前記複数の論理チャネルの各々に対するＰＢＲ（ｐｒｉｏｒｉｔｉｚｅｄ  ｂｉｔ  ｒａｔｅ）に基づき、
前記複数の可用リソースの各々は、順に前記複数の論理チャネルの各々に対する第１量のデータに割り当てられることを特徴とする項目８に記載の方法。
（項目１０）
前記残るリソースは、前記複数の可用リソースのうち前記複数の論理チャネルの各々に対する第１量のデータの全部を割り当てた後に残るリソースであることを特徴とする項目９に記載の方法。
（項目１１）
前記複数の論理チャネルの各々に対する第１量のデータは、前記複数の論理チャネルの各々に対するＰＢＲ（ｐｒｉｏｒｉｔｉｚｅｄ  ｂｉｔ  ｒａｔｅ）を前記複数のコンポーネント搬送波の個数に分けて得られた分割（ｄｉｖｉｄｅｄ）ＰＢＲに基づくことを特徴とする項目９に記載の方法。
（項目１２）
前記複数のコンポーネント搬送波の各々の優先順位を決定するステップをさらに含み、
前記複数の可用リソースは、前記複数のコンポーネント搬送波の各々の優先順位に従って割り当てられることを特徴とする項目１に記載の方法。
（項目１３）
前記複数の可用リソースは、基地局から受信される複数のアップリンクグラントから獲得されることを特徴とする項目１に記載の方法。
（項目１４）
前記複数の可用リソースは、一つのＴＴＩ（ｔｒａｎｓｍｉｓｓｉｏｎ  ｔｉｍｅ  ｉｎｔｅｒｖａｌ）中に使われるリソースであることを特徴とする項目１に記載の方法。
（項目１５）
送受信機；及び、
前記送受信機と連結され、複数の論理チャネルに対するリソースを割り当てるプロセッサ；を含み、
前記プロセッサは、
複数のコンポーネント搬送波に対する複数の可用リソースを獲得し；及び、
前記複数の論理チャネルの各々に対する優先順位に基づいて前記複数の可用リソースを前記複数の論理チャネルに割り当てる無線装置。
【発明の効果】
【００２３】
複数のアップリンク搬送波に対する複数の可用リソースを割り当てるための技法が提案される。
【図面の簡単な説明】
【００２４】
【図１】本発明が適用される無線通信システムを示す。
【図２】ユーザ平面に対する無線プロトコル構造を示すブロック図である。
【図３】制御平面に対する無線プロトコル構造を示すブロック図である。
【図４】多重搬送波の一例を示す。
【図５】多重搬送波のための基地局の第２の階層の構造を示す。
【図６】多重搬送波のための端末の第２の階層の構造を示す。
【図７】従来技術によるＬＣＰの一例を示す例示図である。
【図８】３ＧＰＰ  ＬＴＥにおけるＭＡＣ  ＰＤＵを示す。
【図９】本発明の一実施例に係るリソース割当方法を示すフローチャートである。
【図１０】第１の実施例に係るＬＣＰを示す。
【図１１】第２の実施例に係るＬＣＰを示す。
【図１２】第３の実施例に係るＬＣＰを示す。
【図１３】本発明の一実施例に係るリソース割当方法を示すフローチャートである。
【図１４】搬送波優先順位の例を示す。
【図１５】本発明の実施例に係る送信機を示すブロック図である。
【図１６】本発明の一実施例に係る無線装置を示すブロック図である。
【発明を実施するための形態】
【００２５】
図１は、本発明が適用される無線通信システムを示す。これはＥ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）、またはＬＴＥ（Ｌｏｎｇ  Ｔｅｒｍ  Ｅｖｏｌｕｔｉｏｎ）／ＬＴＥ−Ａシステムとも呼ばれる。
【００２６】
Ｅ−ＵＴＲＡＮは、端末（Ｕｓｅｒ  Ｅｑｕｉｐｍｅｎｔ；ＵＥ）１０に制御平面（ｃｏｎｔｒｏｌ  ｐｌａｎｅ）とユーザ平面（ｕｓｅｒ  ｐｌａｎｅ）を提供する基地局（Ｂａｓｅ  Ｓｔａｔｉｏｎ；ＢＳ）２０を含む。端末１０は、固定されたり移動性を有することができ、ＭＳ（Ｍｏｂｉｌｅ  ｓｔａｔｉｏｎ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、ＭＴ（ｍｏｂｉｌｅ  ｔｅｒｍｉｎａｌ）、無線機器（Ｗｉｒｅｌｅｓｓ  Ｄｅｖｉｃｅ）等、他の用語で呼ばれることができる。基地局２０は、端末１０と通信する固定局（ｆｉｘｅｄ  ｓｔａｔｉｏｎ）を意味し、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることができる。
【００２７】
基地局２０は、Ｘ２インターフェースを介して相互接続されることができる。基地局２０は、Ｓ１インターフェースを介してＥＰＣ（Ｅｖｏｌｖｅｄ  Ｐａｃｋｅｔ  Ｃｏｒｅ）３０、より詳しくは、Ｓ１−ＭＭＥを介してＭＭＥ（Ｍｏｂｉｌｉｔｙ  Ｍａｎａｇｅｍｅｎｔ  Ｅｎｔｉｔｙ）と接続され、Ｓ１−Ｕを介してＳ−ＧＷ（Ｓｅｒｖｉｎｇ  Ｇａｔｅｗａｙ）と接続される。
【００２８】
ＥＰＣ３０は、ＭＭＥ、Ｓ−ＧＷ、及びＰ−ＧＷ（Ｐａｃｋｅｔ  Ｄａｔａ  Ｎｅｔｗｏｒｋ−Ｇａｔｅｗａｙ）で構成される。ＭＭＥは、端末の接続情報や端末の能力に関する情報を有しており、このような情報は端末の移動性管理に主に使われる。Ｓ−ＧＷはＥ−ＵＴＲＡＮを終端点にするゲートウェイであり、Ｐ−ＧＷはＰＤＮを終端点にするゲートウェイである。
【００２９】
端末と基地局との間の無線インターフェースをＵｕインターフェースという。端末とネットワークとの間の無線インターフェースプロトコル（Ｒａｄｉｏ  Ｉｎｔｅｒｆａｃｅ  Ｐｒｏｔｏｃｏｌ）の階層は、通信システムで広く知られた開放型システム間相互接続（Ｏｐｅｎ  Ｓｙｓｔｅｍ  Ｉｎｔｅｒｃｏｎｎｅｃｔｉｏｎ；ＯＳＩ）基準モデルの下位３個階層に基づいてＬ１（第１の階層）、Ｌ２（第２の階層）、Ｌ３（第３の階層）に区分され、このうち、第１の階層に属する物理階層は、物理チャネル（Ｐｈｙｓｉｃａｌ  Ｃｈａｎｎｅｌ）を用いた情報伝送サービス（Ｉｎｆｏｒｍａｔｉｏｎ  Ｔｒａｎｓｆｅｒ  Ｓｅｒｖｉｃｅ）を提供し、第３の階層に位置するＲＲＣ（Ｒａｄｉｏ  Ｒｅｓｏｕｒｃｅ  Ｃｏｎｔｒｏｌ）階層は、端末とネットワークとの間に無線リソースを制御する役割を遂行する。このために、ＲＲＣ階層は端末と基地局との間にＲＲＣメッセージを交換する。
【００３０】
図２は、ユーザ平面（ｕｓｅｒ  ｐｌａｎｅ）に対する無線プロトコル構造（ｒａｄｉｏ  ｐｒｏｔｏｃｏｌ  ａｒｃｈｉｔｅｃｔｕｒｅ）を示すブロック図である。図３は、制御平面（ｃｏｎｔｒｏｌ  ｐｌａｎｅ）に対する無線プロトコル構造を示すブロック図である。ユーザ平面は、ユーザデータ送信のためのプロトコルスタック（ｐｒｏｔｏｃｏｌ  ｓｔａｃｋ）であり、制御平面は、制御信号送信のためのプロトコルスタックである。
【００３１】
図２及び図３を参照すると、物理階層（ＰＨＹ（ｐｈｙｓｉｃａｌ）  ｌａｙｅｒ）は、物理チャネル（ｐｈｙｓｉｃａｌ  ｃｈａｎｎｅｌ）を用いて上位階層に情報伝送サービス（ｉｎｆｏｒｍａｔｉｏｎ  ｔｒａｎｓｆｅｒ  ｓｅｒｖｉｃｅ）を提供する。物理階層は、上位階層であるＭＡＣ（Ｍｅｄｉｕｍ  Ａｃｃｅｓｓ  Ｃｏｎｔｒｏｌ）階層と伝送チャネル（ｔｒａｎｓｐｏｒｔ  ｃｈａｎｎｅｌ）を介して接続されている。データは、伝送チャネルを介してＭＡＣ階層と物理階層との間に移動する。伝送チャネルは、無線インターフェースを介してデータがどのようにどんな特徴に送信されるかによって分類される。
【００３２】
互いに異なる物理階層間、即ち、送信機と受信機の物理階層間は物理チャネルを介してデータが移動する。前記物理チャネルは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式に変調されることができ、時間と周波数を無線リソースとして活用する。
【００３３】
ＭＡＣ階層の機能は、論理チャネルと伝送チャネルとの間のマッピング及び論理チャネルに属するＭＡＣ  ＳＤＵ（ｓｅｒｖｉｃｅ  ｄａｔａ  ｕｎｉｔ）の伝送チャネル上に物理チャネルに提供される伝送ブロック（ｔｒａｎｓｐｏｒｔ  ｂｌｏｃｋ）への多重化／逆多重化を含む。ＭＡＣ階層は、論理チャネルを介してＲＬＣ（Ｒａｄｉｏ  Ｌｉｎｋ  Ｃｏｎｔｒｏｌ）階層にサービスを提供する。
【００３４】
ＲＬＣ階層の機能は、ＲＬＣ  ＳＤＵの連結（ｃｏｎｃａｔｅｎａｔｉｏｎ）、分割（ｓｅｇｍｅｎｔａｔｉｏｎ）、及び再結合（ｒｅａｓｓｅｍｂｌｙ）を含む。無線ベアラ（Ｒａｄｉｏ  Ｂｅａｒｅｒ；ＲＢ）が要求する多様なＱｏＳ（Ｑｕａｌｉｔｙ  ｏｆ  Ｓｅｒｖｉｃｅ）を保障するために、ＲＬＣ階層は、透明モード（Ｔｒａｎｓｐａｒｅｎｔ  Ｍｏｄｅ；ＴＭ）、非確認モード（Ｕｎａｃｋｎｏｗｌｅｄｇｅｄ  Ｍｏｄｅ；ＵＭ）、及び確認モード（Ａｃｋｎｏｗｌｅｄｇｅｄ  Ｍｏｄｅ；ＡＭ）の３種類の動作モードを提供する。ＡＭ  ＲＬＣは、ＡＲＱ（ａｕｔｏｍａｔｉｃ  ｒｅｐｅａｔ  ｒｅｑｕｅｓｔ）を介してエラー訂正を提供する。
【００３５】
ユーザ平面でのＰＤＣＰ（Ｐａｃｋｅｔ  Ｄａｔａ  Ｃｏｎｖｅｒｇｅｎｃｅ  Ｐｒｏｔｏｃｏｌ）階層の機能は、ユーザデータの伝達、ヘッダ圧縮（ｈｅａｄｅｒ  ｃｏｍｐｒｅｓｓｉｏｎ）、及び暗号化（ｃｉｐｈｅｒｉｎｇ）を含む。制御平面でのＰＤＣＰ（Ｐａｃｋｅｔ  Ｄａｔａ  Ｃｏｎｖｅｒｇｅｎｃｅ  Ｐｒｏｔｏｃｏｌ）階層の機能は、制御平面データの伝達及び暗号化／完全性報号（ｉｎｔｅｇｒｉｔｙ  ｐｒｏｔｅｃｔｉｏｎ）を含む。
【００３６】
ＲＲＣ（Ｒａｄｉｏ  Ｒｅｓｏｕｒｃｅ  Ｃｏｎｔｒｏｌ）階層は、制御平面でのみ定義される。ＲＲＣ階層は、ＲＢの構成（ｃｏｎｆｉｇｕｒａｔｉｏｎ）、再構成（ｒｅ−ｃｏｎｆｉｇｕｒａｔｉｏｎ）、及び解除（ｒｅｌｅａｓｅ）と関連されて論理チャネル、伝送チャネル、及び物理チャネルの制御を担当する。ＲＢは、端末とネットワークとの間のデータ伝達のために、第１の階層（ＰＨＹ階層）及び第２の階層（ＭＡＣ階層、ＲＬＣ階層、ＰＤＣＰ階層）により提供される論理的経路を意味する。ＲＢの構成は、特定サービスを提供するために、無線プロトコル階層及びチャネルの特性を規定し、各々の具体的なパラメータ及び動作方法を構成するプロセスを意味する。また、ＲＢは、ＳＲＢ（Ｓｉｇｎａｌｉｎｇ  ＲＢ）とＤＲＢ（Ｄａｔａ  ＲＢ）の２種類に分けられる。ＳＲＢは、制御平面でＲＲＣメッセージを送信する通路として使われ、ＤＲＢは、ユーザ平面でユーザデータを送信する通路として使われる。
【００３７】
端末のＲＲＣ階層とＥ−ＵＴＲＡＮのＲＲＣ階層との間にＲＲＣ接続（ＲＲＣ  Ｃｏｎｎｅｃｔｉｏｎ）がある場合、端末は、ＲＲＣ接続状態（ＲＲＣ  ｃｏｎｎｅｃｔｅｄ  ｓｔａｔｅ）にあるようになり、そうでない場合は、ＲＲＣアイドル状態（ＲＲＣ  ｉｄｌｅ  ｓｔａｔｅ）にあるようになる。
【００３８】
ネットワークから端末にデータを送信するダウンリンク伝送チャネルでは、システム情報を送信するＢＣＨ（Ｂｒｏａｄｃａｓｔ  Ｃｈａｎｎｅｌ）及びユーザトラフィックや制御メッセージを送信するダウンリンクＳＣＨ（Ｓｈａｒｅｄ  Ｃｈａｎｎｅｌ）がある。ダウンリンクマルチキャストまたはブロードキャストサービスのトラフィックまたは制御メッセージの場合、ダウンリンクＳＣＨを介して送信されることもでき、または別途のダウンリンクＭＣＨ（Ｍｕｌｔｉｃａｓｔ  Ｃｈａｎｎｅｌ）を介して送信されることもできる。一方、端末からネットワークにデータを送信するアップリンク伝送チャネルでは、初期制御メッセージを送信するＲＡＣＨ（Ｒａｎｄｏｍ  Ａｃｃｅｓｓ  Ｃｈａｎｎｅｌ）及びユーザトラフィックや制御メッセージを送信するアップリンクＳＣＨ（Ｓｈａｒｅｄ  Ｃｈａｎｎｅｌ）がある。
【００３９】
伝送チャネルの上位にあり、伝送チャネルにマッピングされる論理チャネル（Ｌｏｇｉｃａｌ  Ｃｈａｎｎｅｌ）では、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００４０】
以下、多重搬送波（ｍｕｌｔｉｐｌｅ  ｃａｒｒｉｅｒ）システムに対して記述する。
【００４１】
３ＧＰＰ  ＬＴＥシステムは、ダウンリンク帯域幅とアップリンク帯域幅が異なるように設定される場合をサポートするが、これは一つのコンポーネント搬送波（ｃｏｍｐｏｎｅｎｔ  ｃａｒｒｉｅｒ；ＣＣ）が使用されることを前提する。ＣＣは、中心周波数（ｃｅｎｔｅｒ  ｆｒｅｑｕｅｎｃｙ）及び帯域幅により定義される。これは、３ＧＰＰ  ＬＴＥは、各々、ダウンリンクとアップリンクに対して各々一つのＣＣが定義されている状況で、ダウンリンクの帯域幅とアップリンクの帯域幅が同じ或いは異なる場合に対してのみサポートされることを意味する。例えば、３ＧＰＰ  ＬＴＥシステムは、最大２０ＭＨｚをサポートし、アップリンク帯域幅とダウンリンク帯域幅が異なるが、アップリンクとダウンリンクに一つのＣＣのみをサポートする。
【００４２】
スペクトラム集成（ｓｐｅｃｔｒｕｍ  ａｇｇｒｅｇａｔｉｏｎ）（または、帯域幅集成（ｂａｎｄｗｉｄｔｈ  ａｇｇｒｅｇａｔｉｏｎ）、搬送波集成（ｃａｒｒｉｅｒ  ａｇｇｒｅｇａｔｉｏｎ）という）は、複数のＣＣをサポートするものである。スペクトラム集成は、増加されるスループット（ｔｈｒｏｕｇｈｐｕｔ）をサポートし、広帯域ＲＦ（ｒａｄｉｏ  ｆｒｅｑｕｅｎｃｙ）素子の導入による費用増加を防止し、既存システムとの互換性を保障するために導入されるものである。
【００４３】
図４は、多重搬送波の一例を示す。５個のＣＣ（ＣＣ＃１、ＣＣ＃２、ＣＣ＃３、ＣＣ＃４、ＣＣ＃５）があり、各ＣＣは２０ＭＨｚの帯域幅を有する。従って、２０ＭＨｚ帯域幅を有するＣＣ単位のグラニュラリティ（ｇｒａｎｕｌａｒｉｔｙ）として５個のＣＣが割り当てられる場合、最大１００Ｍｈｚの帯域幅をサポートすることができる。
【００４４】
ＣＣの帯域幅や個数は例示に過ぎない。各ＣＣは互いに異なる帯域幅を有することができる。ダウンリンクＣＣの数とアップリンクＣＣの数は、同じであってもよく、異なってもよい。
【００４５】
図５は、多重搬送波のための基地局の第２の階層の構造を示す。図６は、多重搬送波のための端末の第２の階層の構造を示す。
【００４６】
ＭＡＣ階層は、一つまたはその以上のＣＣを管理することができる。一つのＭＡＣ階層は、一つまたはその以上のＨＡＲＱエンティティ（ｅｎｔｉｔｙ）を含む。一つのＨＡＲＱエンティティは、一つのＣＣに対するＨＡＲＱを実行する。各ＨＡＲＱエンティティは、独立的に伝送チャネル上に伝送ブロック（ｔｒａｎｓｐｏｒｔ  ｂｌｏｃｋ）を処理する。従って、複数のＣＣを介して複数のＨＡＲＱエンティティは、複数の伝送ブロックを送信または受信することができる。
【００４７】
以下、、３ＧＰＰ  ＬＴＥにおけるＬＣＰ（Ｌｏｇｉｃａｌ  Ｃｈａｎｎｅｌ  Ｐｒｉｏｒｉｔｉｚａｔｉｏｎ）に対して記述する。
【００４８】
多様な種類のサービスを提供するために、一つの端末には少なくとも一つのＲＢが構成されることができる。複数のＲＢに対する複数の論理チャネルは、一つの伝送チャネル（即ち、ＭＡＣ  ＰＤＵ（Ｐｒｏｔｏｃｏｌ  Ｄａｔａ  Ｕｎｉｔ））に多重化（ｍｕｌｔｉｐｌｅｘｉｎｇ）されて送信されることができる。
【００４９】
ＬＣＰは、複数のＲＢ（即ち、論理チャネル）のデータを一つの伝送ブロックに多重化する方法である。ＬＣＰにより一つのＭＡＣ  ＰＤＵにどんなＲＢのデータをどれぐらい割り当てるかが決定される。ＬＣＰは、送信機により各新たな送信毎に実行されるプロセスである。
【００５０】
各論理チャネルは優先順位を有する。例えば、優先順位値が１〜８の範囲を有するとする時、より高い優先順位値はより低い優先順位レベルを示すことができる。追加的に、各論理チャネルは、ＰＢＲ（Ｐｒｉｏｒｉｔｉｚｅｄ  Ｂｉｔ  Ｒａｔｅ）を有する。ＰＢＲは、該当ＲＢに対して保障する最小のビット率（ｂｉｔ  ｒａｔｅ）である。
【００５１】
各ＲＢの優先順位とＰＢＲは、初期にＲＢが構成される時、ＲＢ設定メッセージを介してネットワークのＲＲＣ階層から端末のＲＲＣ階層に伝達される。ＲＢ設定メッセージを受けた端末のＲＲＣは必要なＲＢを構成し、各ＲＢのＬＣＰとＰＢＲ情報を端末のＭＡＣに伝達する。この情報を受けたＭＡＣ階層は、ＴＴＩ（Ｔｒａｎｓｍｉｓｓｉｏｎ  Ｔｉｍｅ  Ｉｎｔｅｒｖａｌ）毎にＬＣＰにより各ＲＢの送信データ量を決定する。ＴＴＩは、一つの伝送チャネルの送信に必要な時間を意味する。
【００５２】
送信機のＭＡＣ階層は、送信するたびに与えられた無線リソース（Ｒａｄｉｏ  Ｒｅｓｏｕｒｃｅ）に対して次のような規則を使用して各ＲＢの送信データ量を決定することができる。
【００５３】
（１）リソースをＲＢの優先順位の降順に各ＲＢのＰＢＲに該当するデータ率ほどの送信データの量に割り当てる。
【００５４】
（２）残る無線リソースがある場合、論理チャネルのデータまたは残っているリソースが消耗される時まで論理チャネルの優先順位の降順に全ての論理チャネルに残るリソースを割り当てる。
【００５５】
図７は、従来技術によるＬＣＰの一例を示す例示図である。
【００５６】
３個のＲＢ（ＲＢ１、ＲＢ２、ＲＢ３）が一つの伝送チャネル（Ｔｒａｎｓｐｏｒｔ  Ｃｈａｎｎｅｌ）に多重化される。ＲＢ１の優先順位Ｐ１＝１、ＲＢ２の優先順位Ｐ２＝３、ＲＢ３の優先順位Ｐ３＝５であり、ＲＢ１のＰＢＲ１＝３００ビット／ＴＴＩ、ＲＢ２のＰＢＲ２＝４００ビット／ＴＴＩ、ＲＢ３のＰＢＲ３＝１００ビット／ＴＴＩと仮定する。１ＴＴＩの送信に使われる伝送チャネルに割り当てられる伝送ブロック（Ｔｒａｎｓｐｏｒｔ  Ｂｌｏｃｋ）の大きさは１７００ビットである。伝送ブロックは、伝送チャネルに割り当てられる無線リソースの大きさであり、リソース割当（例えば、アップリンクグラント）によってＴＴＩ毎に変更可能である。
【００５７】
各ＲＢのバッファ占有量（Ｂｕｆｆｅｒ  Ｏｃｃｕｐａｎｃｙ；ＢＯ）をＢＯ１＝７００ビット、ＢＯ２＝１５００ビット、ＢＯ３＝６００ビットと仮定する。ＢＯはＲＢのバッファで実際データが占有している量を意味し、ＰＢＲに該当するデータとその他のデータがある。以下、ＲＢのＢＯのうちＰＢＲに該当するデータをＰＢＲデータといい、その他のデータを残余データという。
【００５８】
まず、ＭＡＣは、与えられた無線リソースを優先順位の降順にＲＢのＰＢＲデータに割り当てる。図７の例ではＲＢ１の優先順位が最も高く、ＲＢ３の優先順位が最も低いため、ＲＢ１、ＲＢ２、ＲＢ３の順に各々のＰＢＲまで送信データ量を決定する。即ち、ＲＢ１に対してＰＢＲ１＝３００ビット、次のＲＢ２に対してＰＢＲ２＝４００ビット、最後にＰＢＲ３＝１００ビット、このような順に８００ビットほど伝送ブロックを満たす。
【００５９】
次のステップでは、余分の無線リソースをＲＢの残余データに優先順位の降順に割り当てる。図７の例では、総１７００ビットの伝送ブロックに対して各ＲＢのＰＢＲを満たす量が８００ビットであるため、９００ビットの余裕リソースが残っている。従って、再び優先順位の降順に残余データを満たす。即ち、ＬＣＰが最も高いＲＢ１の残余データ４００ビット全部を満たし、次に余裕リソース５００ビットに対してＲＢ２の残余データを満たすものである。
【００６０】
結局、今回のＴＴＩで各ＲＢに対して決定された送信データ量は、ＲＢ１＝７００ビット、ＲＢ２＝９００ビット、ＲＢ３＝１００ビットであり、これらを一つの伝送ブロックに載せて送信する。
【００６１】
同じ優先順位に構成された論理チャネルは同じように割り当てられる。即ち、同じ優先順位に構成された論理チャネルには残るリソースが同じように割り当てられる。
【００６２】
図８は、３ＧＰＰ  ＬＴＥにおけるＭＡＣ  ＰＤＵを示す。ＭＡＣ  ＰＤＵは、ＭＡＣヘッダ（Ｈｅａｄｅｒ）、ＭＡＣ制御要素（ｃｏｎｔｒｏｌ  ｅｌｅｍｅｎｔ）、及び少なくとも一つのＭＡＣ  ＳＤＵ（ｓｅｒｖｉｃｅ  ｄａｔａ  ｕｎｉｔ）を含む。ＭＡＣヘッダは、少なくとも一つのサブヘッダ（ｓｕｂｈｅａｄｅｒ）を含み、各サブヘッダは、ＭＡＣ制御要素とＭＡＣ  ＳＤＵに対応する。サブヘッダは、ＭＡＣ制御要素とＭＡＣ  ＳＤＵの長さ及び特徴を示す。ＭＡＣ  ＳＤＵは、ＭＡＣ階層の上位階層（例えば、ＲＬＣ階層またはＲＲＣ階層）から提供されるデータブロックであり、ＭＡＣ制御要素は、バッファ状態報告（ｂｕｆｆｅｒ  ｓｔａｔｕｓ  ｒｅｐｏｒｔ）のようにＭＡＣ階層の制御情報を伝達するために使われる。
【００６３】
以下、ＣＣの可用リソース（ａｖａｉｌａｂｌｅ  ｒｅｓｏｕｒｃｅ）は、該当ＣＣのＭＡＣ  ＰＤＵの送信に使われることができるリソースの一部または全部を意味する。説明を明確にするために、可用リソースの大きさをビット数によって表されるが、これは例示に過ぎない。可用リソースの大きさは、ＭＡＣ  ＰＤＵに含まれるＭＡＣ制御要素の大きさを考慮してもよく、考慮しなくてもよい。
【００６４】
図９は、本発明の一実施例に係るリソース割当方法を示すフローチャートである。このプロセスは、送信機のＭＡＣ階層により実行されることができる。
【００６５】
複数のＣＣに対する複数の可用リソースを獲得する（Ｓ８１０）。各ＣＣの可用リソースに関する情報は、ダウンリンクＣＣのＰＤＣＣＨ（Ｐｈｙｓｉｃａｌ  Ｄｏｗｎｌｉｎｋ  Ｃｏｎｔｒｏｌ  Ｃｈａｎｎｅｌ）上に送信されるアップリンクグラントに含まれることができる。
【００６６】
ＬＣＰによって複数の可用リソースを前記複数の論理チャネルに割り当てる（Ｓ８２０）。まず、前記複数の可用リソースを前記複数の論理チャネルの各々に対する優先順位に従って前記複数の論理チャネルの各々に対する第１量のデータに割り当てる。前記複数の論理チャネルの各々に対する第１量のデータは、前記複数の論理チャネルの各々に対するＰＢＲに基づいて決定される。また、残るリソースを前記複数の論理チャネルの各々に対する優先順位に従って前記複数の論理チャネルの各々に対する第２量のデータに割り当てる。
【００６７】
以下、複数のＣＣに対するＬＣＰを適用する方法に対して具体的な例を挙げて記述する。
【００６８】
３個のＣＣ（ＣＣ＃１、ＣＣ＃２、ＣＣ＃３）があり、各ＣＣ毎に各々対応されるＲＢ（ＲＢ１、ＲＢ２、ＲＢ３）があると仮定する。ＲＢ１の優先順位Ｐ１＝１、ＲＢ２の優先順位Ｐ２＝３、ＲＢ３の優先順位Ｐ３＝５であり、ＲＢ１のＰＢＲ１＝５００ｂｙｔｅｓ、ＲＢ２のＰＢＲ２＝３００ｂｙｔｅｓ、ＲＢ３のＰＢＲ３＝４００ｂｙｔｅｓである。ＣＣ＃１の可用リソースは１９００ｂｙｔｅｓであり、ＣＣ＃２の可用リソースは１４００ｂｙｔｅｓであり、ＣＣ＃３の可用リソースは９００ｂｙｔｅｓである。従って、総可用リソースは４２００ｂｙｔｅｓである。
【００６９】
図１０は、第１の実施例に係るＬＣＰを示す。
【００７０】
まず、複数のＣＣに対するＬＣＰを実行するために、複数の可用リソースを組み合わせることによって総可用リソースを決定する。
【００７１】
また、ＬＣＰが前記総可用リソースに対して実行される。１）総可用リソースを前記複数の論理チャネルの各々に対する優先順位の降順に前記複数の論理チャネルの各々に対する第１量のデータに割り当てる。２）また、残るリソースを前記複数の論理チャネルの各々に対する優先順位の降順に前記複数の論理チャネルの各々に対する第２量のデータに割り当てる。
【００７２】
総可用リソースは４２００ｂｙｔｅｓである。まず、ＲＢの優先順位の降順にＰＢＲに対応する第１量のデータ、ＲＢ１の５００ｂｙｔｅｓ、ＲＢ２の３００ｂｙｔｅｓ、ＲＢ３の４００ｂｙｔｅｓが割り当てられる。また、残るリソースにＲＢ１の１７００ｂｙｔｅｓ、ＲＢ２の１０００ｂｙｔｅｓ、ＲＢ３の３００ｂｙｔｅｓが割り当てられる。結果的に、ＲＢ１には２２００ｂｙｔｅｓが割り当てられ、ＲＢ２には１３００ｂｙｔｅｓ、ＲＢ３には７００ｂｙｔｅｓが割り当てられる。
【００７３】
前記割り当てられた総可用リソースから各ＣＣに対応する少なくとも一つの論理チャネルが決定される。ＲＬＣ  ＰＤＵはＣＣ毎に構成されるため、ＭＡＣ階層は割り当てられたリソースの大きさをＲＬＣ階層に知らせ、ＲＬＣ階層は割り当てられたリソースによって一つまたはその以上のＲＬＣ  ＰＤＵを構成してＭＡＣ階層に送る。
【００７４】
ＣＣ＃２の可用リソースは１９００ｂｙｔｅｓであるため、ＣＣ＃２のＭＡＣ  ＰＤＵは１９００ｂｙｔｅｓのＲＢ１のＲＬＣ  ＰＤＵ１で構成される。ＣＣ＃３の可用リソースは１４００ｂｙｔｅｓであるため、ＣＣ＃３のＭＡＣ  ＰＤＵは３００ｂｙｔｅｓのＲＢ１のＲＬＣ  ＰＤＵ２と１１００ｂｙｔｅｓのＲＢ２のＲＬＣ  ＰＤＵ１で構成される。ＣＣ＃１の可用リソースは９００ｂｙｔｅｓであるため、ＣＣ＃１のＭＡＣ  ＰＤＵは２００ｂｙｔｅｓのＲＢ２のＲＬＣ  ＰＤＵ２と７００ｂｙｔｅｓのＲＢ３のＲＬＣ  ＰＤＵ１で構成される。
【００７５】
従って、ＭＡＣ階層は、ＲＢ１のＲＬＣ階層に２個のＲＬＣ  ＰＤＵ（１９００ｂｙｔｅｓのＰＤＵ１と３００ｂｙｔｅｓのＰＤＵ２）を要求し、ＲＢ２のＲＬＣ階層に２個のＲＬＣ  ＰＤＵ（１１００ｂｙｔｅｓのＰＤＵ１と２００ｂｙｔｅｓのＰＤＵ２）を要求し、ＲＢ３のＲＬＣ階層に１個のＲＬＣ  ＰＤＵ（７００ｂｙｔｅｓのＰＤＵ１）を要求する。
【００７６】
全てのＲＢからＲＬＣ  ＰＤＵを受信した後に、ＭＡＣ階層は各ＣＣに対するＭＡＣ  ＰＤＵを生成し、各ＣＣを介してＭＡＣ  ＰＤＵを送信する。
【００７７】
図１１は、第２の実施例に係るＬＣＰを示す。図１０の実施例ではＬＣＰが一回実行されることと異なって、複数のＣＣに対してＬＣＰが順に実行される。３個のＣＣがあるため、ＴＴＩ当たりＬＣＰが３回実行される。ただし、各論理チャネルのＰＢＲはＴＴＩで一回のみ適用される。
【００７８】
まず、ＣＣ＃２のリソースに対してＬＣＰを実行する。ＣＣ＃２の可用リソースは１９００ｂｙｔｅｓである。まず、ＲＢの優先順位の降順にＰＢＲに対応する第１量のデータ、ＲＢ１の５００ｂｙｔｅｓ、ＲＢ２の３００ｂｙｔｅｓ、ＲＢ３の４００ｂｙｔｅｓが割り当てられる。残っているリソースが７００ｂｙｔｅｓであり、ＲＢの優先順位の降順にＲＢ１の７００ｂｙｔｅｓが割り当てられる。
【００７９】
ＣＣ＃１のＬＣＰの次に、ＣＣ＃３のリソースに対してＬＣＰを実行する。ＲＢ１の１０００ｂｙｔｅｓが割り当てられ、ＲＢ２の４００ｂｙｔｅｓが割り当てられる。
【００８０】
ＣＣ＃３のＬＣＰの次に、ＣＣ＃１のＬＣＰが実行される。ＲＢ２の６００ｂｙｔｅｓが割り当てられ、ＲＢ３の３００ｂｙｔｅｓが割り当てられる。
【００８１】
結果的に、ＣＣ＃２のＭＡＣ  ＰＤＵには、１２００ｂｙｔｅｓのＲＢ１のＲＬＣ  ＰＤＵ、３００ｂｙｔｅｓのＲＢ２のＲＬＣ  ＰＤＵ、及び４００ｂｙｔｅｓのＲＢ３のＲＬＣ  ＰＤＵが含まれる。ＣＣ＃３のＭＡＣ  ＰＤＵには、１０００ｂｙｔｅｓのＲＢ１のＲＬＣ  ＰＤＵ、及び４００ｂｙｔｅｓのＲＢ２のＲＬＣ  ＰＤＵが含まれる。ＣＣ＃１のＭＡＣ  ＰＤＵには、６００ｂｙｔｅｓのＲＢ２のＲＬＣ  ＰＤＵ、及び３００ｂｙｔｅｓのＲＢ３のＲＬＣ  ＰＤＵが含まれる。
【００８２】
図１２は、第３の実施例に係るＬＣＰを示す。ＣＣの個数ほどＬＣＰが実行される。３個のＣＣがあるため、ＴＴＩ当たりＬＣＰが３回実行される。ただし、図１１の実施例とは異なって、各論理チャネルのＰＢＲはＣＣの個数ほど分けられて適用される。
【００８３】
例えば、ＲＢ１のＰＢＲ値５００は３に分けられ、１６７の値を有する３個の分割（ｄｉｖｉｄｅｄ）ＰＢＲになる。ＲＢ２のＰＢＲ値３００は３に分けられ、１００の値を有する３個の分割ＰＢＲになる。ＲＢ３のＰＢＲ値４００は３に分けられ、１３３の値を有する３個の分割（ｄｉｖｉｄｅｄ）ＰＢＲになる。
【００８４】
ＣＣ＃２の可用リソースに対してＬＣＰが適用される。ＲＢの優先順位の降順に分割ＰＢＲに対応する第１量のデータ、ＲＢ１の１６７ｂｙｔｅｓ、ＲＢ２の３１０ｂｙｔｅｓ、ＲＢ３の１３３ｂｙｔｅｓが割り当てられる。また、残るリソースにＲＢ１の１５００ｂｙｔｅｓが割り当てられる。
【００８５】
また、ＣＣ＃３の可用リソースに対してＬＣＰが適用される。ＲＢの優先順位の降順に分割ＰＢＲに対応する第１量のデータ、ＲＢ１の１６７ｂｙｔｅｓ、ＲＢ２の３１０ｂｙｔｅｓ、ＲＢ３の１３３ｂｙｔｅｓが割り当てられる。また、残るリソースにＲＢ１の１９９ｂｙｔｅｓ、ＲＢ２の８０１ｂｙｔｅｓが割り当てられる。
【００８６】
また、ＣＣ＃１の可用リソースに対してＬＣＰが適用される。ＲＢの優先順位の降順に分割ＰＢＲに対応する第１量のデータ、ＲＢ１の１６７ｂｙｔｅｓ、ＲＢ２の３１０ｂｙｔｅｓ、ＲＢ３の１３３ｂｙｔｅｓが割り当てられる。また、残るリソースにＲＢ２の１９９ｂｙｔｅｓ、ＲＢ３の３０１ｂｙｔｅｓが割り当てられる。
【００８７】
結果的に、ＣＣ＃２のＭＡＣ  ＰＤＵには、１６６７ｂｙｔｅｓのＲＢ１のＲＬＣ  ＰＤＵ、１００ｂｙｔｅｓのＲＢ２のＲＬＣ  ＰＤＵ、及び１３３ｂｙｔｅｓのＲＢ３のＲＬＣ  ＰＤＵが含まれる。ＣＣ＃３のＭＡＣ  ＰＤＵには、３６６ｂｙｔｅｓのＲＢ１のＲＬＣ  ＰＤＵ、９０１ｂｙｔｅｓのＲＢ２のＲＬＣ  ＰＤＵ、及び１３３ｂｙｔｅｓのＲＢ３のＲＬＣ  ＰＤＵが含まれる。ＣＣ＃１のＭＡＣ  ＰＤＵには、１６７ｂｙｔｅｓのＲＢ１のＲＬＣ  ＰＤＵ、２９９ｂｙｔｅｓのＲＢ２のＲＬＣ  ＰＤＵ、及び４３４ｂｙｔｅｓのＲＢ３のＲＬＣ  ＰＤＵが含まれる。
【００８８】
各ＣＣのＭＡＣ  ＰＤＵには各ＲＢの分割ＰＢＲに対応する正のデータが含まれる。
【００８９】
図１０ないし図１２の実施例で、ＣＣ＃２→ＣＣ＃３→ＣＣ＃１の順にリソース割当及び／またはＬＣＰを適用しているが、ＣＣの順序に制限があるものてはない。送信機は、任意に、または予め指定された順に複数のＣＣに対してＬＣＰを実行することができる。
【００９０】
ただし、図１０及び１１の実施例で、ＰＢＲに該当するデータが１番目のＣＣ、即ち、ＣＣ＃２を介して送信されるため、ＣＣ＃２が最も信頼性の高いＣＣである場合、サービスの品質を高めることができる。
【００９１】
図１３は、本発明の一実施例に係るリソース割当方法を示すフローチャートである。図９の実施例と比較し、搬送波優先順位（ｃａｒｒｉｅｒ  ｐｒｉｏｒｉｔｉｚａｔｉｏｎ）を適用するものである。
【００９２】
ＬＣＰを実行するための前記複数のコンポーネント搬送波の各々の優先順位を決定する（Ｓ８０５）。複数のＣＣに対する複数の可用リソースを獲得する（Ｓ８１０）。ＬＣＰによって複数の可用リソースを前記複数の論理チャネルに割り当てる（Ｓ８２０）。
【００９３】
搬送波優先順位は、各ＣＣに対するＲＢのＲＬＣ  ＰＤＵ大きさを正確に計算し、より高い優先順位を有するＲＢに対してより高い優先順位を有するＣＣを割り当てるためのものである。
【００９４】
搬送波優先順位は、多様な方式に設定されることができる。
【００９５】
搬送波優先順位は、構成基準（ｃｒｉｔｅｒｉａ）によって設定されることができる。構成基準は、予め指定されることもでき、基地局が端末に知らせることもできる。
【００９６】
構成基準では、チャネル品質、可用リソース、及び搬送波タイプのうち少なくともいずれか一つになることができる。
【００９７】
チャネル品質は、ＲＳＲＰ（Ｒｅｆｅｒｅｎｃｅ  Ｓｉｇｎａｌ  Ｒｅｃｅｉｖｅｄ  Ｐｏｗｅｒ）及び／またはＲＳＲＱ（Ｒｅｆｅｒｅｎｃｅ  Ｓｉｇｎａｌ  Ｒｅｃｅｉｖｅｄ  Ｑｕａｌｉｔｙ）を含むことができる。チャネル品質の高いＣＣがより高い優先順位レベルを有することができる。
【００９８】
より多くの可用リソースを有するＣＣがより高い優先順位レベルを有することができる。
【００９９】
搬送波タイプは、ＬＴＥと互換性を保障するＬＴＥ  ＣＣ及びＬＴＥに互換性を保障しないＬＴＥ−Ａ  ＣＣを含む。ＬＴＥ  ＣＣがＬＴＥ−Ａ  ＣＣより高い優先順位レベルを有したり、またはその反対になることができる。
【０１００】
図１４は、搬送波優先順位の例を示す。ＲＳＲＰを基準とする時、ＣＣ＃３が最も高い優先順位レベルを有する。可用リソース（またはアップリンクグラント）を基準とする時、ＣＣ＃２が最も高い優先順位レベルを有する。ＬＴＥ  ＣＣを基準とする時、ＣＣ＃１が最も高い優先順位レベルを有する。ＬＴＥ−Ａ  ＣＣを基準とする時、ＣＣ＃２またはＣＣ＃３が最も高い優先順位レベルを有する。
【０１０１】
基準によって、搬送波優先順位は、異なる結果をもたらすものを示す。
【０１０２】
基地局は、端末に搬送波優先順位を知らせることができる。搬送波優先順位は、セル−特定的メッセージまたは端末−特定的メッセージを介して送信されることができる。セル−特定的メッセージによると、搬送波優先順位は、セル内の端末に共通的である。端末−特定的メッセージによると、搬送波優先順位は端末毎に異なるように与えられることができる。
【０１０３】
搬送波優先順位を決定した端末は、搬送波優先順位の降順にＬＣＰを適用することができる。図１０ないし図１２の実施例は、ＣＣ＃２、ＣＣ＃３、ＣＣ＃１の順に搬送波優先順位を適用した例である。
【０１０４】
図１５は、本発明の実施例に係る送信機を示すブロック図である。
【０１０５】
送信機１４００は、ＭＡＣエンティティ１４１０とＲＬＣエンティティ１４２０を含む。ＭＡＣエンティティ１４１０は、複数のＣＣのためのＭＡＣ階層を具現し、ＲＬＣエンティティ１４２０は、ＲＬＣ階層を具現する。
【０１０６】
ＭＡＣエンティティ１４１０は、前述した図９ないし図１３の実施例によって各ＲＢに割り当てられたリソースを決定し、割り当てられたリソースに関する情報（またはＲＬＣ  ＰＤＵを構成するための情報）をＲＬＣエンティティ１４２０に送る。また、獲得したＲＬＣ  ＰＤＵから各ＣＣに対するＭＡＣ  ＰＤＵを構成し、ＭＡＣ  ＰＤＵを受信機に送信する。
【０１０７】
ＲＬＣエンティティ１４２０は、各ＲＢに割り当てられたリソースに基づいて各ＲＢに対する少なくとも一つのＲＬＣ  ＰＤＵを構成する。
【０１０８】
図１６は、本発明の一実施例に係る無線装置を示すブロック図である。無線装置１５００は端末の一部である。
【０１０９】
無線装置１５００は、プロセッサ１５１０と送受信機１５２０を含む。
【０１１０】
送受信機１５２０は、基地局からアップリンクグラントを獲得し、複数のＣＣを介して複数のＭＡＣ  ＰＤＵを基地局に送信する。また、送受信機１５２０は、ＬＣＰ情報（ＲＢの優先順位及びＰＢＲ）及び／または搬送波優先順位を基地局から受信することができる。
【０１１１】
送受信機１５２０は、無線インターフェースプロトコルの階層を具現し、ＭＡＣ階層とＲＬＣ階層を具現する。送受信機１５２０は、前述した図９ないし図１３の実施例によって各ＣＣに対するＭＡＣ  ＰＤＵを構成する。
【０１１２】
プロセッサは、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を含むことができる。実施例がソフトウェアで具現される時、前述した技法は前述した機能を遂行するモジュール（過程、機能など）で具現されることができる。モジュールは、プロセッサにより実行されることができる。
【０１１３】
前述した例示的なシステムで、方法は一連のステップまたはブロックで順序図に基づいて説明されているが、本発明はステップの順序に限定されるものではなく、あるステップは前述と異なるステップ及び異なる順序にまたは同時に発生することができる。また、当業者であれば、順序図に示すステップが排他的でなく、他のステップが含まれたり、順序図の一つまたはその以上のステップが本発明の範囲に影響を及ぼさずに削除可能であることを理解することができる。
【０１１４】
前述した実施例は多様な態様の例示を含む。多様な態様を示すための全ての可能な組合せを記述することはできないが、該当技術分野の通常の知識を有する者は、他の組合せが可能であることを認識することができる。従って、本発明は、特許請求の範囲内に属する他の交替、修正及び変更を含む。
【図１】
0005543598.tif 000002
【図２】
0005543598.tif 000003
【図３】
0005543598.tif 000004
【図４】
0005543598.tif 000005
【図５】
0005543598.tif 000006
【図６】
0005543598.tif 000007
【図７】
0005543598.tif 000008
【図８】
0005543598.tif 000009
【図９】
0005543598.tif 000010
【図１０】
0005543598.tif 000011
【図１１】
0005543598.tif 000012
【図１２】
0005543598.tif 000013
【図１３】
0005543598.tif 000014
【図１４】
0005543598.tif 000015
【図１５】
0005543598.tif 000016
【図１６】
0005543598.tif 000017